(57)【要約】【課題】収納空間の天板下や棚板下などに取り付けられる溝形ガイドレールを介して支持された折れ戸や引き戸などを円滑且つ静寂に開閉方向に案内することの出来る案内装置を提供する。【解決手段】取付け部材１８に対して一定範囲内昇降自在に支持されると共にスプリング２８により上向きに付勢された可動体１７には、溝形ガイドレール８内に嵌合する移動方向前後一対の上下方向柱状部２１，２２と、溝形ガイドレールの開口部両側に位置して当該溝形ガイドレールの全長にわたって連続する水平下側面１３ａ，１４ａに下から当接する左右一対前後一組の摺接部２３とが設けられ、各上下方向柱状部は、水平横断面において溝形ガイドレールの溝内両側面１２ａ，１２ｂそれぞれに向かって突曲する突曲面２１ａ〜２２ｂを左右両側に備え、各摺接部は、その移動方向の垂直縦断面において上向きに突曲する突曲面２３ａをそれぞれ備えた構成。【選択図】図４
2015206157.tif 000002
【特許請求の範囲】
【請求項１】
下側が解放された溝形ガイドレールに係合して当該溝形ガイドレールに沿って移動自在な可動体と、この可動体を扉に取り付ける取付け部材とから成る扉用案内装置において、前記可動体は、前記取付け部材に対して一定範囲内昇降自在に支持されると共に、スプリングにより上向きに付勢され、この可動体には、前記溝形ガイドレール内に嵌合する移動方向前後一対の上下方向柱状部と、前記溝形ガイドレールの開口部両側に位置して当該溝形ガイドレールの全長にわたって連続する水平下側面に下から当接する左右一対前後一組の摺接部とが設けられ、前記各上下方向柱状部は、水平横断面において前記溝形ガイドレールの溝内両側面それぞれに向かって突曲する突曲面を左右両側に備え、前記左右一対前後一組の摺接部は、その移動方向の垂直縦断面において上向きに突曲する突曲面をそれぞれ備え、前記スプリングの付勢力により、これら各摺接部の突曲面が前記溝形ガイドレールの開口部両側の水平下側面に当接するように構成された、扉用案内装置。
扉用案内装置。
【請求項２】
前記取付け部材には、一定範囲内昇降自在に支持されると共に前記スプリングにより上向きに付勢されたプラスチック製の支持部材が設けられ、この支持部材には、前記可動体の支持面と、この支持面から下向きに形成された嵌合孔が設けられ、前記可動体は、前記支持部材の支持面に載置される座部の上に、前記前後一対の上下方向柱状部と前記左右一対前後一組の摺接部が突設されると共に、前記嵌合孔に嵌合する突出部が前記座部から下向きに突設された、プラスチックの一体成型物であって、前記嵌合孔に嵌合した状態の前記突出部を前記支持部材に結合している、請求項１に記載の扉用案内装置。
【請求項３】
前記溝形ガイドレールは、その溝内の両側垂直面の下側辺に、縦断面において内側に突曲する膨出部が全長にわたって連続するように一体形成され、前記可動体の各上下方向柱状部の左右両側突曲面が前記膨出部と隣接するように構成された、請求項１又は２に記載の扉用案内装置。
【請求項４】
前記溝形ガイドレールは、プラスチック製の外側本体層と、この溝形ガイドレールの前記水平下側面と溝内面とを被覆する高摺動性プラスチック層との二層構造となっている、請求項１〜３の何れか１項に記載の扉用案内装置。
【発明の詳細な説明】
【技術分野】
【０００１】
本発明は、折れ戸や引き戸などの扉を溝形ガイドレールによって案内する扉用案内装置に関するものである。
【背景技術】
【０００２】
この種の扉用案内装置として、特許文献１に記載されるように、下側が解放された溝形ガイドレールに係合して当該溝形ガイドレールに沿って移動自在な可動体と、この可動体を扉に取り付ける取付け部材とから成る扉用案内装置が知られている。この扉用案内装置が引き戸に使用されるときは、前記可動体は前記取付け部材に固定することが出来るが、折れ戸に使用されるときは、前記可動体は前記取付け部材に対して垂直軸の周りに水平揺動自在に取り付けられる。而して、この種の扉用案内装置では、特許文献１にも記載されるように、可動体の移動方向を規制するための、溝形ガイドレールの溝内両側面に隣接して遊転する垂直軸周りに回転自在な移動方向前後一対のローラーと、可動体の移動高さを規制するための、溝形ガイドレールの溝内上下両側面に隣接して遊転する水平軸周りに回転自在なローラーとが設けられていた。
【先行技術文献】
【特許文献】
【０００３】
【特許文献１】特開２０１１−１４４５００号公報
【発明の概要】
【発明が解決しようとする課題】
【０００４】
上記のような従来の扉用案内装置では、合計３〜４個のローラーが必要であるため、単にコスト高になっているだけでなく、扉開閉時のローラーの転動に伴う動作音が非常に高く、解決しなければならない課題となっていた。
【課題を解決するための手段】
【０００５】
本発明は、上記のような従来の問題点を解消することのできる扉用案内装置を提案するものであって、本発明に係る扉用案内装置は、後述する実施例との関係を理解し易くするために、当該実施例の説明において使用した参照符号を括弧付きで付して示すと、下側が解放された溝形ガイドレール(8)に係合して当該溝形ガイドレール(8)に沿って移動自在な可動体(17)と、この可動体(17)を扉（折れ戸(1)）に取り付ける取付け部材(18)とから成る扉用案内装置において、前記可動体(17)は、前記取付け部材(18)に対して一定範囲内昇降自在に支持されると共に、スプリング（圧縮コイルバネ(28)）により上向きに付勢され、この可動体(17)には、前記溝形ガイドレール(8)内に嵌合する移動方向前後一対の上下方向柱状部(21,22)と、前記溝形ガイドレール(8)の開口部両側に位置して当該溝形ガイドレール(8)の全長にわたって連続する水平下側面(13a,14a)に下から当接する左右一対前後一組の摺接部(23)とが設けられ、前記各上下方向柱状部(21,22)は、水平横断面において前記溝形ガイドレール(8)の溝内両側面（膨出部(15,16)を含む両側垂直面(12a,12b)）それぞれに向かって突曲する突曲面(21a〜22b)を左右両側に備え、前記左右一対前後一組の摺接部(23)は、その移動方向の垂直縦断面において上向きに突曲する突曲面(23a)をそれぞれ備え、前記スプリング（圧縮コイルバネ(28)）の付勢力により、これら各摺接部(23)の突曲面(23a)が前記溝形ガイドレール(8)の開口部両側の水平下側面(13a,14a)に当接する構成になっている。
【発明の効果】
【０００６】
上記本発明の構成によれば、ローラーが全く使用されていないにも拘らず、可動体の移動方向は、前記移動方向前後一対の上下方向柱状部の左右両側の突曲面を溝形ガイドレールの溝内の両側垂直面それぞれに隣接させることにより規制すると共に、可動体の移動高さと姿勢は、前記左右一対前後一組の摺接部の合計４つの上向きの突曲面を前記溝形ガイドレールの開口部両側の水平下側面に当接させることにより規制することが出来る。従って、ローラー使用の構造のようなローラーの軸支部のガタに起因する騒音や、ローラーと溝形ガイドレールとの間の転動音などの動作音が一切無くなり、可動体と溝形ガイドレールとの間の最大合計８か所の摺接箇所の摺接音だけになるので、静寂に扉を開閉させることが可能になった。しかも、これら前記移動方向前後一対の上下方向柱状部や前記左右一対前後一組の摺接部を備えた可動体は、プラスチックにより一体成型することが出来るので、従来の複数個のローラーを軸支する構成と比較して、構造がきわめてシンプルで安価に実施することが出来る。特に本発明の構成によれば、前記のように、前記左右一対前後一組の摺接部の合計４つの上向きの突曲面を前記溝形ガイドレールの開口部両側の水平下側面に当接させるものであるから、可動体の移動高さと姿勢を確実に規制し、当該可動体を安定良く移動させることが出来る。
【０００７】
尚、上記本発明を実施する場合、前記取付け部材(18)には、一定範囲内昇降自在に支持されると共に前記スプリング（圧縮コイルバネ(28)）により上向きに付勢されたプラスチック製の支持部材(19)を設け、この支持部材(19)には、前記可動体(17)の支持面(30)と、この支持面(30)から下向きに形成された嵌合孔(29)を設け、前記可動体(17)は、前記支持部材(19)の支持面(30)に載置される座部(20)の上に、前記前後一対の上下方向柱状部(21,22)と前記左右一対前後一組の摺接部(23)が突設されると共に、前記嵌合孔(29)に嵌合する突出部(24)が前記座部(20)から下向きに突設された、プラスチックの一体成型物とし、前記嵌合孔(29)に嵌合した状態の前記突出部(24)を前記支持部材(19)に、両者にわたって貫通する連結ピン(31)やネジ、接着剤など、各種の方法で結合することが出来る。
【０００８】
又、前記溝形ガイドレール(8)には、その溝内の両側垂直面(12a,12b)の下側辺に、縦断面において内側に突曲する膨出部(15,16)を全長にわたって連続するように一体形成し、前記可動体(17)の各上下方向柱状部(21,22)の左右両側突曲面(21a〜22b)が前記膨出部(15,16)の突曲面と隣接するように構成することが出来る。更に、前記溝形ガイドレール(8)は、プラスチック製の外側本体層(8a)と、この溝形ガイドレール(8)の前記水平下側面(13a,14a)と溝部内面とを被覆する高摺動性プラスチック層（高摺動性特殊ＰＥ層(8b)）との二層構造とすることが出来る。これらの構成により、より一層の動作音抑制効果が得られる。
【図面の簡単な説明】
【０００９】
【図１】図１は、折れ戸の要部を示す一部切欠き正面図である。
【図２】図２は、同上の一部切欠き平面図である。
【図３】図３Ａは、折れ戸が折り畳まれた状態を示す一部切欠き平面図、図３Ｂは、案内装置を示す要部拡大側面図、図３Ｃは、案内装置を溝形ガイドレールから切り離した状態を示す要部拡大側面図である。
【図４】図４Ａは、折れ戸を図示省略した案内装置と溝形ガイドレールを示す正面図、図４Ｂは、同案内装置の平面図である。
【図５】図５Ａは、図４Ａの案内装置の要部と溝形ガイドレールを示す側面図、図５Ｂは、溝形ガイドレールの拡大詳細断面図、図５Ｃは、図４ＢのＡ-Ａ線断面図である。
【図６】図６Ａは、図４ＢのＢ-Ｂ線断面図、図６Ｂは、図４ＢのＣ-Ｃ線断面図である。
【発明を実施するための形態】
【００１０】
以下、本発明の一実施例を添付図に基づいて説明すると、図１及び図２において、１は折れ戸であって、２枚の扉体２，３を蝶番４により展開折り畳み自在に連結して構成されている。この折れ戸１は、左右両側板５，６と天板７及び床面によって囲まれた収納空間の開口部を開閉するものであって、左右両側板５，６の内側に入り込み且つ天板７に対してはアウトセットの状態で配置されている。天板７の前縁近傍の下側には、溝形ガイドレール８が埋設されている。上記のように配置された折れ戸１は、その一方の扉体２の外側辺が蝶番９により一方の側板５に水平揺動自在に軸支されると共に、他方の扉体３の外側辺の上端部内側に、前記溝形ガイドレール８と係合する案内装置１０が取り付けられることにより、支持されている。
【００１１】
前記溝形ガイドレール８は、図５Ａ，Ｂに示すように、天板７の下側面に予め刻設されたレール嵌合用溝１１内に圧入されるもので、下側が解放された溝部１２と、この溝部１２の両下側縁から左右両側に張り出して天板７の下側面に当接する張出し翼部１３，１４を備え、内側巾広の張出し翼部１４が木ネジなどにより天板７の下側面に固定される。又、この溝形ガイドレール８は、例えばタルク含有ＰＥなどの成型性の良いプラスチックによって成型される外側本体層８ａと、溝部１２の内側面から張出し翼部１３，１４の下側面１３ａ，１４ａにわたって被覆された、例えば厚さ0.5mm程度の高摺動性特殊ＰＥ層（商品名：リュブマー層）８ｂの二層構造で構成されており、溝部１２内の両側垂直面の下側辺には、縦断面で内側に突曲する膨出部１５，１６が全長にわたって成型されている。従って、この両膨出部１５，１６は、前記高摺動性特殊ＰＥ層８ｂで形成されていることになる。
【００１２】
案内装置１０は、図４、図５Ｃ、及び図６に示すように、溝形ガイドレール８に係合する可動体１７、扉体３に取り付けられる取付け部材１８、及び可動体１７を取付け部材１８に支持させるための支持部材１９から構成されている。可動体１７は、プラスチックの一体成型物であって、平面形状が長円形の座部２０、この座部２０の長さ方向の両端部から上向きに突設されて溝形ガイドレール８の溝部１２内に嵌合する移動方向前後一対の上下方向柱状部２１，２２、溝形ガイドレール８の両張出し翼部１３，１４の下側面１３ａ，１４ａに下から当接するように、前記座部２０の上で上下方向柱状部２１，２２の左右両側に上向きに突設された左右一対前後一組、合計４つの摺接部２３、及び前記座部２０の下側に下向きに突設された横断面長円形の突出部２４を備えている。この突出部２４は、その長円形の輪郭が前記座部２０の長円形の輪郭より一回り小さく形成されたもので、この突出部２４から張り出す座部２０の周辺下側面が長円環状の被支持面２０ａとなっている。
【００１３】
可動体１７の前後一対の上下方向柱状部２１，２２は、水平横断面において溝形ガイドレール８の溝部１２内の両側垂直面１２ａ，１２ｂそれぞれに向かって突曲する突曲面２１ａ，２１ｂ及び２２ａ，２２ｂを左右両側に備えている。そして前記４つの摺接部２３は、その移動方向に沿った垂直縦断面において上向きに突曲する突曲面２３ａをそれぞれ備えた構造となっている。尚、座部２０の上には、前後一対の上下方向柱状部２１，２２を繋ぐ垂直連結壁部２５が一体成型され、４つの摺接部２３の各突曲面２３ａを有する部分は、上下方向柱状部２１，２２や垂直連結壁部２５から外側に離れて上向きに突設されている。
【００１４】
取付け部材１８は、扉体３の内側面に当て付けてネジ止めされる取付け板部２６の一端に上下一対の水平に張り出す軸受け板部２６ａ，２６ｂを連設したものである。支持部材１９は、軸受け部１９ａと可動体支持部１９ｂとが平面形状においてＬ形に繋がった形状のプラスチックの一体成型物であって、その一方の軸受け部１９ａの先端部が、取付け部材１８の上下一対の軸受け板部２６ａ，２６ｂ間に、当該軸受け板部２６ａ，２６ｂに上下両端が支持された垂直支軸２７の周りに水平揺動自在で且つ当該垂直支軸２７に沿って昇降自在に支持され、この軸受け部１９ａと下側の軸受け板部２３ｂとの間で垂直支軸２７に遊嵌された圧縮コイルバネ２８によって上向きに付勢されている。
【００１５】
支持部材１９の他方の可動体支持部１９ｂは、一方の軸受け部１９ａが扉体３に対して、平面視において直角向きにあるとき、当該軸受け部１９ａから両扉体２，３間の蝶番４のある側へ延出する向きに連設されたもので、その延出方向の全長にわたって、上下方向に貫通する長円形の嵌合孔２９が設けられている。この嵌合孔２９は、可動体１７の横断面長円形の突出部２４が丁度内嵌し得るサイズのもので、可動体支持部１９ｂの上端面、即ち、嵌合孔２９の上端開口部の周囲の上端面が、長円環状の支持面３０となっている。従って、可動体１７の突出部２４を支持部材１９の可動体支持部１９ｂにおける嵌合孔２９に上から嵌合させて、当該可動体支持部１９ｂの長円環状の支持面３０に、可動体１７の座部２０における長円環状の被支持面２０ａを当接支持させた状態で、これら突出部２４と可動体支持部１９ｂとにわたって連結ピン３１を左右水平方向に貫通させて、突出部２４と可動体支持部１９ｂとを結合一体化している。
【００１６】
尚、支持部材１９の軸受け部１９ａと可動体支持部１９ｂとの間の入隅部の上下両端には、補強用の張出し板部１９ｃが一体成型されている。又、可動体１７の突出部２４は、支持部材１９の可動体支持部１９ｂにおける嵌合孔２９の深さ（可動体支持部１９ｂの高さ）の半分程度の高さを有するものであり、前記連結ピン３１を貫通させるための可動体支持部１９ｂ側の貫通孔３１ａは、突出部２４を嵌合孔２９の上下何れ側から嵌合させたときにも、連結ピン３１により突出部２４と可動体支持部１９ｂとを結合出来るように、上下２箇所に設けている。これは、扉体３が蝶番９により側板６に取り付けられ、支持部材１９を上下逆向きで軸支した取付け部材１８を扉体２に取り付ける場合に対応させるためである。
【００１７】
以上のように構成された案内装置１０は、一方の扉体２の外側辺が蝶番９により一方の側板５に水平揺動自在に軸支された折れ戸１の他方の扉体３の外側辺の上端近傍内側面に、取付け部材１８の取付け板部２６を介してネジ止めにより取り付けられるが、このときの可動体１７は、圧縮コイルバネ２８によって上昇位置で支持されている支持部材１９の可動体支持部１９ｂの上に支持されていて、正面視において、天板７と重なる高さに位置しているので、当該可動体１７を支持部材１９と共に押し下げて、図３Ｃに示すように、圧縮コイルバネ２８の付勢力に抗して天板７より低いレベルまで可動体１７を垂直支軸２７に沿って降下させる。この状態で支持部材１９を垂直支軸２７の周りに水平に回動させて、可動体１７を天板７の下側に入り込ませ、当該可動体１７が天板７の下側に埋設されている溝形ガイドレール８の真下位置で当該溝形ガイドレール８と平行な向きとなるように操作した後、圧縮コイルバネ２８の付勢力により、取付け部材１８に対して支持部材１９を上昇させ、可動体１７を溝形ガイドレール８の溝部１２内に嵌合させる。
【００１８】
溝形ガイドレール８の溝部１２内に嵌合した可動体１７は、その前後一対の上下方向柱状部２１，２２の左右両側の突曲面２１ａ，２１ｂ及び２２ａ，２２ｂにおいて、溝形ガイドレール８の溝部１２内の両側膨出部１５，１６に隣接することにより、平面視における可動体１７の長さ方向（前後一対の上下方向柱状部２１，２２を結ぶ方向）が溝形ガイドレール８の溝部１２の長さ方向と平行になる向きに規制される。同時に可動体１７は、圧縮コイルバネ２８の付勢力を上向きに受けているので、その左右一対、前後二組の４つの摺接部２３が、それぞれの突曲面２３ａにおいて、溝形ガイドレール８の両側張出し翼部１３，１４における下側面１３ａ，１４ａに当接し、溝形ガイドレール８の溝部１２に対する前後一対の上下方向柱状部２１，２２の嵌合深さが規制され、正面視における可動体１７の長さ方向が溝形ガイドレール８の溝部１２の長さ方向と平行になる水平姿勢に規制される。
【００１９】
折れ戸１は、従来周知のように、図１及び図２に示すように、両扉体２，３が同一垂直面に沿う展開姿勢において、左右両側板５，６と天板７、及び床面で囲まれた収納空間の開口部を閉じることになる。この状態から両扉体２，３間の蝶番４で連結されている部分を手前に引きながら、扉体３の外側辺を溝形ガイドレール８に沿って開動させると、案内装置１０の可動体１７が溝形ガイドレール８の溝部１２内を滑動しながら、両扉体２，３が蝶番４の周りで互いに重なる方向に折り畳まれ、最終的には、図３Ａに示すように、折れ戸１が折り畳み姿勢になって、前記収納空間の開口部が開かれることになる。この状態から折れ戸１を元の展開姿勢に戻して、前記収納空間の開口部を閉じるときは、扉体３の外側辺を溝形ガイドレール８に沿って閉動させれば良い。
【００２０】
上記の折れ戸１の開閉動作時における案内装置１０の可動体１７は、その前後一対の上下方向柱状部２１，２２の左右両側の突曲面２１ａ，２１ｂ及び２２ａ，２２ｂと、溝形ガイドレール８の溝部１２内の両側膨出部１５，１６との間の、合計４箇所の点接触と、４つの摺接部２３の突曲面２３ａと、溝形ガイドレール８の左右両側の張出し翼部１３，１４の下側面１３ａ，１４ａとの間の、合計４箇所の線接触とを伴って、溝形ガイドレール８に沿って滑動することになる。従って、従来のローラーを使用する構成の案内装置と比較して、静寂に折れ戸１を開閉動作させることが出来る。勿論、折れ戸１の開閉時のスライド抵抗も非常に小さく、容易に折れ戸１を開閉させることが出来る。又、折れ戸１を溝形ガイドレール８から離脱させる必要が生じたときは、案内装置１０の支持部材１９を圧縮コイルバネ２８の付勢力に抗して下方に引き下げ、図３Ｃに示すように、可動体１７を溝形ガイドレール８の溝部１２内から下方に離脱させれば良い。
【００２１】
尚、上記実施例では、折れ戸１の案内手段として本発明の案内装置１０を使用しているが、本発明の案内装置１０は引き戸の案内手段としても利用出来る。この場合は、支持部材１９は取付け部材１８に対して垂直支軸２７により水平揺動自在に軸支する必要はなく、単に一定範囲内昇降自在に支持すると共にスプリングにより上向きに付勢すれば良い。又、溝形ガイドレール８を天板７の下側に埋設したが、天板７の下側面に外付けされるタイプの溝形ガイドレールであっても良いし、天板ではなく、収納空間の中間高さに架設される棚板の前側辺下側に取り付けられる溝形ガイドレールであっても良い。
【産業上の利用可能性】
【００２２】
本発明の扉用案内装置は、収納空間の天板下や棚板下などに取り付けられる溝形ガイドレールを介して開閉方向に案内される折れ戸や引き戸などの案内手段として活用出来る。
【符号の説明】
【００２３】
１    折れ戸
２，３    扉体
４，９    蝶番
５，６    左右両側板
７    天板
８    溝形ガイドレール
８ａ    外側本体層
８ｂ    高摺動性特殊ＰＥ層
１０    案内装置
１２    溝部
１２ａ，１２ｂ    両側垂直面
１３，１４    張出し翼部
１３ａ，１４ａ    下側面
１５，１６    膨出部
１７    可動体
１８    取付け部材
１９    支持部材
１９ａ    軸受け部
１９ｂ    可動体支持部
２０    座部
２０ａ    被支持面
２１，２２    上下方向柱状部
２１ａ〜２２ｂ    突曲面
２３    摺接部
２３ａ    突曲面
２４    突出部
２５    垂直連結壁部
２６    取付け板部
２６ａ，２６ｂ    軸受け板部
２７    垂直支軸
２８    圧縮コイルバネ
２９    嵌合孔
３０    支持面
３１    連結ピン
【図１】
2015206157.tif 000003
【図２】
2015206157.tif 000004
【図３】
2015206157.tif 000005
【図４】
2015206157.tif 000006
【図５】
2015206157.tif 000007
【図６】
2015206157.tif 000008
【手続補正書】
【提出日】平成27年1月20日(2015.1.20)
【手続補正１】
【補正対象書類名】特許請求の範囲
【補正対象項目名】全文
【補正方法】変更
【補正の内容】
【特許請求の範囲】
【請求項１】
下側が解放された溝形ガイドレールに係合して当該溝形ガイドレールに沿って移動自在な可動体と、この可動体を扉に取り付ける取付け部材とから成る扉用案内装置であって、前記可動体は、前記取付け部材に対して一定範囲内昇降自在に支持されると共に、スプリングにより上向きに付勢され、この可動体には、前記溝形ガイドレール内に嵌合する移動方向前後一対の上下方向柱状部と、前記溝形ガイドレールの開口部両側に位置して当該溝形ガイドレールの全長にわたって連続する水平下側面に下から当接する左右一対前後一組の摺接部とが設けられ、前記各上下方向柱状部は、水平横断面において前記溝形ガイドレールの溝内両側面それぞれに向かって突曲する突曲面を左右両側に備え、前記左右一対前後一組の摺接部は、その移動方向の垂直縦断面において上向きに突曲する突曲面をそれぞれ備え、前記スプリングの付勢力により、これら各摺接部の突曲面が前記溝形ガイドレールの開口部両側の水平下側面に当接するように構成された扉用案内装置において、
前記取付け部材には、一定範囲内昇降自在に支持されると共に前記スプリングにより上向きに付勢されたプラスチック製の支持部材が設けられ、この支持部材には、前記可動体の支持面と、この支持面から下向きに形成された嵌合孔が設けられ、前記可動体は、前記支持部材の支持面に載置される座部の上に、前記前後一対の上下方向柱状部と前記左右一対前後一組の摺接部が突設されると共に、前記嵌合孔に嵌合する突出部が前記座部から下向きに突設された、プラスチックの一体成型物であって、前記嵌合孔に嵌合した状態の前記突出部を前記支持部材に結合している、扉用案内装置。
【請求項２】
前記溝形ガイドレールは、その溝内両側面の下側辺に、縦断面において内側に突曲する膨出部が全長にわたって連続するように一体形成され、前記可動体の各上下方向柱状部の左右両側突曲面が前記膨出部と隣接するように構成された、請求項１に記載の扉用案内装置。
【請求項３】
前記溝形ガイドレールは、プラスチック製の外側本体層と、この溝形ガイドレールの前記水平下側面と溝内面とを被覆する高摺動性プラスチック層との二層構造となっている、請求項１又は２に記載の扉用案内装置。
【手続補正２】
【補正対象書類名】明細書
【補正対象項目名】０００５
【補正方法】変更
【補正の内容】
【０００５】
本発明は、上記のような従来の問題点を解消することのできる扉用案内装置を提案するものであって、本発明に係る扉用案内装置は、後述する実施例との関係を理解し易くするために、当該実施例の説明において使用した参照符号を括弧付きで付して示すと、下側が解放された溝形ガイドレール(8)に係合して当該溝形ガイドレール(8)に沿って移動自在な可動体(17)と、この可動体(17)を扉（折れ戸(1)）に取り付ける取付け部材(18)とから成る扉用案内装置であって、前記可動体(17)は、前記取付け部材(18)に対して一定範囲内昇降自在に支持されると共に、スプリング（圧縮コイルバネ(28)）により上向きに付勢され、この可動体(17)には、前記溝形ガイドレール(8)内に嵌合する移動方向前後一対の上下方向柱状部(21,22)と、前記溝形ガイドレール(8)の開口部両側に位置して当該溝形ガイドレール(8)の全長にわたって連続する水平下側面(13a,14a)に下から当接する左右一対前後一組の摺接部(23)とが設けられ、前記各上下方向柱状部(21,22)は、水平横断面において前記溝形ガイドレール(8)の溝内両側面（膨出部(15,16)を含む両側垂直面(12a,12b)）それぞれに向かって突曲する突曲面(21a〜22b)を左右両側に備え、前記左右一対前後一組の摺接部(23)は、その移動方向の垂直縦断面において上向きに突曲する突曲面(23a)をそれぞれ備え、前記スプリング（圧縮コイルバネ(28)）の付勢力により、これら各摺接部(23)の突曲面(23a)が前記溝形ガイドレール(8)の開口部両側の水平下側面(13a,14a)に当接するように構成された扉用案内装置において、
前記取付け部材(18)には、一定範囲内昇降自在に支持されると共に前記スプリング（圧縮コイルバネ(28)）により上向きに付勢されたプラスチック製の支持部材(19)が設けられ、この支持部材(19)には、前記可動体(17)の支持面(30)と、この支持面(30)から下向きに形成された嵌合孔(29)が設けられ、前記可動体(17)は、前記支持部材(19)の支持面(30)に載置される座部(20)の上に、前記前後一対の上下方向柱状部(21,22)と前記左右一対前後一組の摺接部(23)が突設されると共に、前記嵌合孔(29)に嵌合する突出部(24)が前記座部(20)から下向きに突設された、プラスチックの一体成型物であって、前記嵌合孔(29)に嵌合した状態の前記突出部(24)を前記支持部材(19)に結合する構成になっている。
【手続補正３】
【補正対象書類名】明細書
【補正対象項目名】０００７
【補正方法】変更
【補正の内容】
【０００７】
尚、前記嵌合孔(29)に嵌合した状態の前記突出部(24)を前記支持部材(19)に結合する手段としては、この両者にわたって貫通する連結ピン(31)やネジ、接着剤など、各種の方法が利用出来る。